(57)【特許請求の範囲】
【請求項１】
平板状支柱板１１０の左右側末端上側に、それぞれ凹溝１１１が設けられた側面支持突条１２０が形成され、前記側面支持突条１２０の内側には、前記支柱板１１０上の側面支持突条１２０の高さ（ｈ）と等しい高さ（ｈ）をなすとともに所定幅（ｗ）を有するように長手方向に並んで一字形に形成され、内側に離脱防止係止段１２１が設けられた一対の支持リブ１３０が形成され、前記支柱板１１０の左右側末端下側にそれぞれ係止リブ１１２が形成され、前記係止リブ１１２の内側に同一高さの多数の脚リブ１４０が形成され、前記側面支持突条１２０と前記支持リブ１３０の間に形成された溝部１３１に固定部材２０を通過させることにより壁体１０に固定されるパネル固定用フレーム１００；
底板２１０の一側端上面に固定段２１１が形成され、前記底板２１０の中央上面に支持板２２０が直角に形成され、前記固定段２１１が形成された方向に上向きに形成された雄締結片２３０が支持板２２０に一体に結合され、前記固定段２１１に第１固定クリップ５００を締結することにより前記パネル固定用フレーム１００に締結されるスタートパネル２００；
多数の四角形突起３１０と溝３１２が交互に繰り返される凹凸部３２０が形成され、前記凹凸部３２０の一側には前記スタートパネル２００と同一形状の結合パネル部３４０が一体に結合され、前記凹凸部３２０の他側には前記雄締結片２３０にかみ合って結合するように雌締結片３５０が形成された幅木用パネル３００；及び
下側に第１脚片４１２及び第２脚片４１３が設けられた平板体４１０を備え、前記平板体４１０の一側には連結片４２０が形成され、前記連結片４２０には前記スタートパネル２００と同一形状の結合パネル部４４０が一体に結合し、他側には雌締結片４５０が一体に結合し、雄締結片３３０の係止溝３３２にかみ合って結合する雌締結片４５０の係止段４５３が形成された壁体組立用パネル４００；を含んで成ることを特徴とする、プレハブ建築物の壁体用パネル。
【請求項２】
前記雄締結片２３０は、側断面が円形の結合具２３１が一側に設けられ、前記支持板２２０に結合する他側下端部に係止溝２３２が形成され、前記支持板２２０に垂直な垂直線（Ａ）に対して上側に３０度の角度（ａ）を成すことを特徴とする、請求項１に記載のプレハブ建築物の壁体用パネル。
【請求項３】
前記雌締結片３５０は結合板３５５と締結部３５６でなり、横になった“Ｖ”形のもので、一側が開口部３５１を形成し、他側の内側には前記雄締結片２３０の結合具２３１が前記開口部３５１を通じて挿入されて装着されるように弧形の装着部３５２が形成され、前記結合板３５５は、前記突起３１０の上面と同一面上にあるように前記凹凸部３２０に一側が結合され、他側には雌締結片３５０が雄締結片２３０に結合され、締結の際、前記支持板２２０の末端に対向して四角形を成すように形状段３５７が形成され、前記締結部３５６は垂直線（Ａ）に対して上側に３０度の角度を成すように上向きに形成された前記雄締結片２３０に対応するように前記結合板３５５の延長線（Ｂ）に対して３０度の角度（ｂ）を成すように下向き形成され、一側端に前記係止溝２３２にかみ合うように前記係止溝２３２の形状に対応するように膨出状の係止段３５３が設けられた結合片３５４が形成されることを特徴とする、請求項１に記載のプレハブ建築物の壁体用パネル。
【請求項４】
前記固定段２１１にかかるように中央に固定棒５１０が形成され、前記固定棒５１０の左右両側には、前記係止リブ１１２に接して固定されるように係合具５２０が形成された第１固定クリップ５００をさらに含むことを特徴とする、請求項１に記載のプレハブ建築物の壁体用パネル。
【請求項５】
前記パネル固定用フレーム１００に形成された支持リブ１３０の間に締結されて固定されるように前記支持リブ１３０間の幅（ｗ）と等しい長さを持ち、左右両側に前記支持リブ１３０に形成された離脱防止係止段１２１にかかって外部に離脱しないように羽片５３１が設けられた一対の締結具５３２が形成され、前記パネル固定用フレーム１００に固定部材２０によって固定するための通孔５３３が中央に形成され、一側端に前記固定段２１１及び第１固定クリップ５００の固定棒５１０がかかるように固定部５３４が形成された第２固定クリップ５３０をさらに含むことを特徴とする、請求項１に記載のプレハブ建築物の壁体用パネル。
【請求項６】
前記壁体組立用パネル４００の第１脚片４１２の末端に三角形の支持片４１４がさらに形成されることにより、変形した壁体組立用パネル４０１を形成することを特徴とする、請求項１に記載のプレハブ建築物の壁体用パネル。
【請求項７】
前記パネル固定用フレーム１００の凹溝１１１に挿入されて外部衝撃を吸収し、上部に結合するパネルとの接触騷音を減少させるために、ウレタン素材のパッキング部材１５０をさらに含むことを特徴とする、請求項１に記載のプレハブ建築物の壁体用パネル。
【請求項８】
壁体１０にパネル固定用フレーム１００を位置させ、前記パネル固定用フレーム１００の溝部１３１に固定部材２０を通過させることでパネル固定用フレーム１００を壁体１０に固定し、凹溝１１１にパッキング部材１５０を差し込んだ後、前記パネル固定用フレーム１００の下側上面にスタートパネル２００を位置させ、前記スタートパネル２００の底板２１０には固定部材２０で固定し、前記スタートパネル２００の固定段２１１には第１固定クリップ５００を締結して固定した後、前記スタートパネル２００の雄締結片２３０に幅木用パネル３００の雌締結片３５０を４５度の角度（ｃ）で挿入して前記雄締結片２３０の結合具２３１を雌締結片３５０の装着部３５２に装着させ、雄締結片２３０の係止溝２３２に雌締結片３５０の係止段３５３がかみ合って結合するようにした後、前記幅木用パネル３００の固定段３１１に第１固定クリップ５００を締結して固定した後、前記幅木用パネル３００の雄締結片３３０に壁体組立用パネル４０１の雌締結片４５０を４５度の角度で挿入して前記雄締結片３３０の結合具３３１を雌締結片４５０の装着部４５２に装着させ、雄締結片３３０の係止溝３３２に雌締結片４５０の係止段４５３がかみ合って結合するようにした後、前記壁体組立用パネル４０１の固定段４１１に第１固定クリップ５００を締結し、前記パネル固定用フレーム１００に形成された支持リブ１３０の間に第２固定クリップ５３０を締結した後、前記第２固定クリップ５３０に形成された通孔５３３に固定部材２０を通過させて前記壁体組立用パネル４０１をパネル固定用フレーム１００に固定した後、前記壁体組立用パネル４０１の雄締結片４３０にさらに他の壁体組立用パネル４０１’の雌締結片４５０’を４５度の角度で挿入して前記雄締結片４３０の結合具４３１を雌締結片４５０’の装着部４５２’に装着させ、雄締結片４３０の係止溝４３２に雌締結片４５０’の係止段４５３’がかみ合って結合するようにした後、前記壁体組立用パネル４０１’の固定段４１１’に第１固定クリップ５００を締結し、外力（Ｆ）で前記壁体組立用パネル４０１’を壁体１０の方向に押し付けて前記壁体組立用パネル４０１’を壁体１０に密着させて仕上げることを特徴とする、プレハブ建築物の壁体用パネルの施工方法。
【発明の詳細な説明】
【技術分野】
【０００１】
本発明はプレハブ建築物の壁体用パネル及びその施工方法に係り、より詳しくは簡単な組立て及び施工が可能であるだけでなく、簡潔さ及び高級な感じの審美感を高める効果があり、防水及び騷音まで考慮した機能性プレハブ建築物の製作のための壁体用パネル及びそのパネルの施工に関する。
【背景技術】
【０００２】
一般に、建築物の壁体を施工する従来の方法は、煙瓦やブロックが積もる底面にモルタルを所定の厚さで塗布した後、その塗布されたモルタル上に煙瓦やブロックをそれぞれ積み、その煙瓦やブロックの上部と一側面にモルタルをさらに塗布する作業を繰り返して壁体を積むことになる。
【０００３】
このような従来の方法は、煙瓦やブロックがそれぞれ互いに付着するようにモルタルを使うため、モルタルを成形するのに作業人力及び作業時間がかかる欠点があり、セメントパウダーとモルタル屑が下端に落ちることにより、作業現場に散らばっているため、現場を汚すだけでなく、作業者の健康を害し、セメントパウダーを掃除したりモルタル屑を掃除したりするのに人力が必要となるため、人力費用が増加し、施工が難しい欠点があった。
【０００４】
また、煙瓦で壁体を積む場合には、煙瓦のサイズが小さいため、煙瓦を積むのに長時間がかかって工期が引き延ばされる問題点を持っていた。
【０００５】
一方、前記のような従来の壁体施工方法を改善するために、プレハブパネルによる壁面施工が行われた。このような従来の壁面施工用プレハブパネルは、内部に発泡スチロール、ウレタンなどの断熱、防音材でなる中間部材の外部に金属板を接合したサンドイッチパネルであり、両端には組立て及び連結のための雌雄連結構造を備えている。
【０００６】
このような従来のプレハブパネルは、建築物の支柱部材の間に縦横に設置された壁骨格部材の両面にボルトやネジ、くぎなどの固定部材で付着して施工したため、パネルと壁骨格部材及び固定部材などがたくさん必要となる問題点と、施工工程が複雑で多大な人力及び時間が必要となる問題点があった。
【０００７】
特に、その施工状態においては、壁骨格部材の厚さだけ内外側パネルの間に中空部が生じて室内で共鳴現象が起こり、その中空部に昆虫や鼠などが棲息することになって、衛生上の問題点を発生させるなどの問題点があった。
【発明の概要】
【発明が解決しようとする課題】
【０００８】
したがって、前記のような問題点を解決するために、本発明の第１目的は、簡単な組立て及び便利な施工が可能な壁体施工用プレハブパネルを提供することである。
【０００９】
本発明の第２目的は、審美感を与えることができる壁体施工用プレハブパネルの組立てによるプレハブ建築物を提供することである。
【００１０】
本発明の第３目的は、防水効果と騷音発生の最少化を図ることができるようにする機能性プレハブ建築物の壁体用パネルを提供することにある。
【課題を解決するための手段】
【００１１】
前記のような目的を達成するために、本発明は、平板状支柱板の左右側末端上側に、それぞれ凹溝が設けられた側面支持突条が形成され、前記側面支持突条の内側には、前記支柱板上の側面支持突条の高さと等しい高さをなすとともに所定幅を有するように長手方向に並んで一字形に形成され、内側に離脱防止係止段が設けられた一対の支持リブが形成され、前記支柱板の左右側末端下側にそれぞれ係止リブが形成され、前記係止リブの内側に同一高さの多数の脚リブが形成され、前記側面支持突条と前記支持リブの間に形成された溝部に固定部材を通過させることにより壁体に固定されるパネル固定用フレームと、底板の一側端上面に固定段が形成され、前記底板の中央上面に支持板が直角に形成され、前記固定段が形成された方向に上向きに形成された雄締結片が支持板に一体に結合され、前記固定段に第１固定クリップを締結することにより前記パネル固定用フレームに締結されるスタートパネルと、多数の四角形突起と溝が交互に繰り返される凹凸部が形成され、前記凹凸部の一側には前記スタートパネルと同一形状の結合パネル部が一体に結合され、前記凹凸部の他側には前記雄締結片にかみ合って結合するように雌締結片が形成された幅木用パネルと、下側に第１脚片及び第２脚片が設けられた平板体を備え、前記平板体の一側には連結片が形成され、前記連結片には前記スタートパネルと同一形状の結合パネル部が一体に結合し、他側には雌締結片が一体に結合し、雄締結片の係止溝にかみ合って結合する雌締結片の係止段が形成された壁体組立用パネルとを含んで成る。
【発明の効果】
【００１２】
前記のような本発明によれば、簡単な組立て及び施工によって施工現場での作業性に優れて、人件費が節減され、施工時間を減らすことができるので、施工コストが節減される経済的な発明である。
【００１３】
また、煩雑ではなくて簡潔でありながらも高級な感じを与える審美感ある発明であり、科学的な設計によって精密施工が可能であり、機能性構造によって防水効果を最大化するとともに騷音発生を最少化する効果がある。
【００１４】
さらに、アルミニウム素材を使ってパネルを軽量化するので、加工及び運搬が容易であるだけでなく、紫外線や雨水にも強い非常に有用な発明である。
【図面の簡単な説明】
【００１５】
【図１ａ】本発明の実施例によるプレハブ建築物の壁体用パネルのパネル固定用フレームを示す斜視図である。
【図１ｂ】本発明の実施例によるプレハブ建築物の壁体用パネルのパネル固定用フレームを示す断面図である。
【図２ａ】本発明の実施例によるプレハブ建築物の壁体用パネルのスタートパネルを示す斜視図である。
【図２ｂ】本発明の実施例によるプレハブ建築物の壁体用パネルのスタートパネルを示す断面図である。
【図３ａ】本発明の実施例によるプレハブ建築物の壁体用パネルの幅木用パネルを示す斜視図である。
【図３ｂ】本発明の実施例によるプレハブ建築物の壁体用パネルの幅木用パネルを示す断面図である。
【図４ａ】本発明の実施例によるプレハブ建築物の壁体用パネルの壁体組立用パネルを示す斜視図である。
【図４ｂ】図４ａに示すプレハブ建築物の壁体用パネルの壁体組立用パネルを示す断面図である。
【図４ｃ】本発明の他の実施例によるプレハブ建築物の壁体用パネルの壁体組立用パネルを示す斜視図である。
【図４ｄ】図４ｃに示すプレハブ建築物の壁体用パネルの壁体組立用パネルを示す断面図である。
【図４ｅ】図４ｃに示すプレハブ建築物の壁体用パネルの壁体組立用パネルをパネル固定用フレームに固定する手順を示す断面図である。
【図５ａ】本発明の実施例によるプレハブ建築物の壁体用パネルの第１固定クリップを示す斜視図である。
【図５ｂ】本発明の実施例によるプレハブ建築物の壁体用パネルの第２固定クリップを示す斜視図である。
【図６ａ】本発明の実施例によるプレハブ建築物の壁体用パネルのパネル固定用フレームに使われるパッキング部材を示す斜視図である。
【図６ｂ】本発明の実施例によるプレハブ建築物の壁体用パネルのパネル固定用フレームに装着されたパッキング部材を示す断面図である。
【図７】本発明の実施例によるプレハブ建築物の壁体用パネルの雄締結片に挿入される雌締結片を順に示す断面図である。
【図８】本発明の実施例によるプレハブ建築物の壁体用パネルのパネル固定用フレームを固定部材によって固定することを示す斜視図である。
【図９】本発明の実施例によるプレハブ建築物の壁体用パネルのスタートパネルをパネル固定用フレームに結合することを示す斜視図である。
【図１０】本発明の実施例によるプレハブ建築物の壁体用パネルのスタートパネルに幅木用パネルの結合を示す斜視図である。
【図１１】本発明の実施例によるプレハブ建築物の壁体用パネルの幅木用パネルに壁体組立用パネルの結合を示す斜視図である。
【図１２】本発明の実施例によるプレハブ建築物の壁体用パネルの壁体組立用パネルを第２固定クリップでパネル固定用フレームに固定することを示す斜視図である。
【図１３】本発明の実施例によるプレハブ建築物の壁体用パネルの壁体組立用パネルにさらに他の壁体組立用パネルを連続的に結合することを示す斜視図である。
【図１４】本発明の実施例によってプレハブ建築物の壁体用パネルの施工が完了したことを示す斜視図である。
【図１５】本発明の実施例によってプレハブ建築物の壁体用パネルの施工が完了したことを示す側断面図である。
【発明を実施するための形態】
【００１６】
以下、本発明による実施例を添付図面に基づいて説明する。
【００１７】
図１ａは本発明の実施例によるプレハブ建築物の壁体用パネルのパネル固定用フレームを示す斜視図、図１ｂは本発明の実施例によるプレハブ建築物の壁体用パネルのパネル固定用フレームを示す断面図である。図１ａ及び図１ｂを参照すれば、本発明によるパネル固定用フレーム１００は、平板状の支柱板１１０の左側及び右側末端上側にそれぞれ凹溝１１１が設けられた側面支持突条１２０が形成され、前記側面支持突条１２０の内側には、前記支柱板１１０上の側面支持突条１２０の高さ（ｈ）と等しい高さ（ｈ）をなすとともに同一幅（ｗ）を有するように長手方向に並んで一字形に形成され、内側に離脱防止係止段１２１が設けられた一対の支持リブ１３０が形成される。
【００１８】
また、前記支柱板１１０の左側及び右側末端下側にはそれぞれ係止リブ１１２が形成され、前記係止リブ１１２の内側に同一高さで多数の脚リブ１４０が形成される。
【００１９】
したがって、前記パネル固定用フレーム１００は、前記側面支持突条１２０と前記支持リブ１３０間に形成された溝部１３１に固定部材２０を介して壁体１０に固定され、スタートパネル２００、幅木用パネル３００及び壁体組立用パネル４００を壁体に固定するためのベースフレームとしての役目をする。
【００２０】
図２ａは本発明の実施例によるプレハブ建築物の壁体用パネルのスタートパネルを示す斜視図、図２ｂは本発明の実施例によるプレハブ建築物の壁体用パネルのスタートパネルを示す断面図である。図２ａ及び図２ｂを参照すれば、本発明によるスタートパネル２００は、底板２１０の一側端上面に固定段２１１が形成され、前記底板２１０の中央上面に支持板２２０が直角に形成され、前記固定段２１１が形成された方向に上向きに形成された雄締結片２３０が前記支持板２２０に一体に結合する。
【００２１】
前記雄締結片２３０は、側断面が円形である結合具２３１が一側に設けられ、前記支持板２２０に結合する他側下端部に係止溝２３２が形成される。
【００２２】
また、前記雄締結片２３０は、支持板２２０に垂直な垂直線（Ａ）に対して上側に３０度の角度（ａ）を成すように形成することが好ましい。
【００２３】
しかし、このような前記角度（ａ）は雌締結片を雄締結片に容易に結合するためのもので、前記雄締結片が形成される角度を必ずしも３０度に限定するものではなく、使用者が設置環境に応じて前記雄締結片が形成される角度を調整することが可能である。
【００２４】
図３ａは本発明の実施例によるプレハブ建築物の壁体用パネルの幅木用パネルを示す斜視図、図３ｂは本発明の実施例によるプレハブ建築物の壁体用パネルの幅木用パネルを示す断面図である。図３ａ及び図３ｂを参照すれば、本発明による幅木用パネル３００は、多数の四角形突起３１０と溝３１２が交互に繰り返される凹凸部３２０が形成され、前記凹凸部３２０の一側には前記スタートパネル２００と同一形状の結合パネル部３４０が一体に結合し、前記凹凸部３２０の他側には、前記雄締結片２３０とかみ合って結合するように雌締結片３５０が形成される。
【００２５】
前記雌締結片３５０は結合板３５５と締結部３５６でなり、横になった“Ｖ”形のもので、一側が開口部３５１を形成し、他側の内側には前記雄締結片２３０の結合具２３１が前記開口部３５１を通じて挿入されて装着されるように弧形の装着部３５２が形成される。
【００２６】
また、前記結合板３５５は前記突起３１０の上面と同一面上にあるように前記凹凸部３２０に一側が結合し、他側には、雌締結片３５０が雄締結片２３０に結合し、締結の際に前記支持板２２０の末端に対向して四角形を成すように形状段３５７が形成される。
【００２７】
前記締結部３５６は結合片３５４と係止段３５３でなり、前記結合片３５４は、前記垂直線（Ａ）に対して上側に３０度の角度で上向きに形成された前記雄締結片２３０に対応して、雌締結片３５０が４５度の角度で挿入結合しやすいようにするために、前記結合板３５５の延長線（Ｂ）に対して６０度の角度で下向きに形成され、前記結合片３５４の一側端には、前記係止溝２３２とかみ合うように、前記係止溝２３２の形状に対応するように膨出状の係止段３５３が設けられる。
【００２８】
したがって、前記雄締結片２３０と雌締結片３５０の結合をより詳細に説明するための図７は本発明の実施例によるプレハブ建築物の壁体用パネルの雄締結片に挿入される雌締結片を結合する順に示す断面図である。
【００２９】
図７を参照すれば、前記スタートパネル２００の固定段２１１には、第１固定クリップ５００を締結して固定した後、前記スタートパネル２００の雄締結片２３０に幅木用パネル３００の雌締結片３５０を４５度の角度（ｃ）で挿入して前記雄締結片２３０の結合具２３１を雌締結片３５０の装着部３５２に装着させ、雄締結片２３０の係止溝２３２に雌締結片３５０の係止段３５３がかみ合って結合するようにした後、前記幅木用パネル３００の固定段３１１に第１固定クリップ５００を締結して固定する。
【００３０】
図４ａは本発明の実施例によるプレハブ建築物の壁体用パネルの壁体組立用パネルを示す斜視図、図４ｂは図４ａに示すプレハブ建築物の壁体用パネルの壁体組立用パネルを示す断面図である。図４ａ及び図４ｂを参照すれば、本発明による壁体組立用パネル４００は、前記幅木用パネル３００に結合する構成のもので、下側に第１脚片４１２及び第２脚片４１３が設けられた平板体４１０を備え、平板板４１０の一側には連結片４２０が形成され、前記連結片４２０には前記スタートパネル２００と同一形状の結合パネル部４４０が一体に結合し、他側には雌締結片４５０が一体に結合する。
【００３１】
図４ｃは本発明の他の実施例によるプレハブ建築物の壁体用パネルの壁体組立用パネルを示す斜視図、図４ｄは図４ｃに示すプレハブ建築物の壁体用パネルの壁体組立用パネルを示す断面図である。図４ｃ及び図４ｄを参照すれば、本発明の他の実施例による壁体組立用パネル４０１は、前記壁体組立用パネル４００の第１脚片４１２の末端に三角形の支持片４１４がさらに形成されることが特徴であり、前記三角形の支持片４１４の高さ（ｅ）は約０．５ｍｍである。
【００３２】
本発明による壁体組立用パネル４００、４０１は厚さが約２ｍｍのもので、外力（Ｆ）によって屈曲可能なアルミニウム素材でなる。
【００３３】
したがって、前記壁体組立用パネル４０１をパネル固定用フレーム１００に固定するとき、前記壁体組立用パネル４０１に形成された三角形の支持片４１４によって前記壁体組立用パネル４０１は前記パネル固定用フレーム１００から弓形にしなうことになる。
【００３４】
図４ｅは図４ｃに示すプレハブ建築物の壁体用パネルの壁体組立用パネルをパネル固定用フレームに固定する手順を示す断面図である。図４ｃ〜図４ｅを参照すれば、前記幅木用フレーム３００の雄締結片３３０に壁体組立用パネル４０１の雌締結片４５０を４５度の角度（ｃ）で挿入して前記雄締結片３３０の結合具３３１を雌締結片４５０の装着部４５２に装着させ、雄締結片３３０の係止溝３３２に雌締結片４５０の係止段４５３がかみ合って結合するようにした後、前記壁体組立用パネル４０１の固定段４１１に第１固定クリップ５００を締結する。
【００３５】
その後、前記パネル固定用フレーム１００に形成された支持リブ１３０の間に第２固定クリップ５３０を締結した後、前記第２固定クリップ５３０に形成された通孔５３３に固定部材２０を通過させて前記壁体組立用パネル４０１をパネル固定用フレーム１００に固定する。
【００３６】
その後、前記壁体組立用パネル４０１に形成された三角形の支持片４１４によって前記パネル固定用フレーム１００から弓形にしなうことになった前記壁体組立用パネル４０１を外力（Ｆ）で壁体１０の方向に押し付けて前記壁体組立用パネル４０１を壁体１０に密着させる。
【００３７】
前記のような方法によって、弓形にしなった壁体組立用パネル４０１は壁体４０１に完全に密着し、前記第２脚片４１３と前記第１脚片４１２に形成された支持片４１４が壁体１０に完全に密着して壁体との摩擦力が増加するので、重力によって前記壁体組立用パネル４０１が滑って下ることを最少化することができる。
【００３８】
図５ａは本発明の実施例によるプレハブ建築物の壁体用パネルの第１固定クリップを示す斜視図である。図５ａを参照すれば、本発明による第１固定クリップ５００は、固定段２１１、３１１、４１１にかかるように中央に固定棒５１０が形成され、前記固定棒５１０の左右両側に、前記パネル固定用フレーム１００に形成された係止リブ１１２にかかって固定されるように係合具５２０が形成される。
【００３９】
このような第１固定クリップは固定部材２０に代わるもので、パネルの損失をもたらす固定部材２０に代わって、パネルの離脱を防止することができる利点とともに、パネルを容易にパネル固定用フレーム１００に固定することができるので、作業性に優れた利点もある。
【００４０】
図５ｂは本発明の実施例によるプレハブ建築物の壁体用パネルの第２固定クリップを示す斜視図である。図５ｂを参照すれば、本発明による第２固定クリップは、前記パネル固定用フレーム１００に形成された支持リブ１３０の間に締結されて固定されるように、前記支持リブ１３０間の幅（ｗ）と等しい長さを持ち、左右両側に、前記支持リブ１３０に形成された離脱防止係止段１２１にかかって外部に離脱しないように羽片５３１が設けられた一対の締結具５３２が形成され、前記パネル固定用フレーム１００に固定部材２０によって固定するための通孔５３３が中央に形成され、一側端には前記固定段２１１及び前記第１固定クリップ５００の固定棒５１０がかかるように固定部５３４が形成される。
【００４１】
したがって、前記第２固定クリップ５３０によって前記壁体組立用パネル４００を一層堅固にパネル固定用フレーム１００に固定することができることになり、前記壁体組立用パネル４００に連続的に結合する他の壁体組立用パネル４００の荷重を効果的に耐えることができる。
【００４２】
図６ａは本発明の実施例によるプレハブ建築物の壁体用パネルのパネル固定用フレームに使われるパッキング部材を示す斜視図、図６ｂは本発明の実施例によるプレハブ建築物の壁体用パネルのパネル固定用フレームに装着されたパッキング部材を示す断面図である。図６ａ及び図６ｂを参照すれば、本発明によるパッキング部材１５０はウレタン素材でなり、前記パネル固定用フレーム１００の凹溝１１１に挿入されることにより、前記パネル固定用フレーム１００の上部に固定されるパネルに加わる外部衝撃を吸収し、前記パネル固定用フレーム１００の上部に結合するパネルとの接触騷音を減少させるためである。
【００４３】
前記パッキング部材１５０の直径は、前記パネル固定用フレーム１００の凹溝１１１に締結されるとき、側面支持突条１２０の上部から約０．３ｍｍ（ｄ）だけ突出するほどの直径が好ましい。
【００４４】
図８は本発明の実施例によるプレハブ建築物の壁体用パネルのパネル固定用フレームを固定部材によって固定することを示す斜視図である。図８を参照すれば、壁体１０にパネル固定用フレーム１００を位置させ、前記パネル固定用フレーム１００の溝部１３１に固定部材２０を通過させてパネル固定用フレーム１００を壁体１０に固定し、凹溝１１１にパッキング部材１５０を差し込む。
【００４５】
図９は本発明の実施例によるプレハブ建築物の壁体用パネルのスタートパネルをパネル固定用フレームに結合することを示す斜視図である。図９を参照すれば、前記パネル固定用フレーム１００の下側上面にスタートパネル２００を位置させ、前記スタートパネル２００の底板２１０に固定部材２０を通過させて前記スタートパネル２００を前記パネル固定用フレーム１００及び壁体１０に固定した後、前記スタートパネル２００の固定段２１１に第１固定クリップ５００を締結することでスタートパネル２００をパネル固定用フレーム１００に締結する。
【００４６】
図１０は本発明の実施例によるプレハブ建築物の壁体用パネルのスタートパネルに幅木用パネルの結合を示す斜視図である。図１０を参照すれば、前記スタートパネル２００の雄締結片２３０に幅木用パネル３００の雌締結片３５０を４５度の角度で挿入して前記雄締結片２３０の結合具２３１を雌締結片３５０の装着部３５２に装着させ、雄締結片２３０の係止溝２３２に雌締結片３５０の係止段３５３がかみ合って結合するようにした後、前記幅木用パネル３００の固定段３１１に第１固定クリップ５００を締結して固定する。
【００４７】
図１１は本発明の実施例によるプレハブ建築物の壁体用パネルの幅木用パネルに壁体組立用パネルの結合を示す斜視図である。図１１を参照すれば、前記幅木用パネル３００の雄締結片３３０に壁体組立用パネル４０１の雌締結片４５０を４５度の角度で挿入して前記雄締結片３３０の結合具３３１を雌締結片４５０の装着部４５２に装着させ、雄締結片３３０の係止溝３３２に雌締結片４５０の係止段４５３がかみ合って結合するようにした後、前記壁体組立用パネル４０１の固定段４１１に第１固定クリップ５００を締結する。
【００４８】
図１２は本発明の実施例によるプレハブ建築物の壁体用パネルの壁体組立用パネルを第２固定クリップによってパネル固定用フレームに固定することを示す斜視図である。図１２を参照すれば、前記パネル固定用フレーム１００に形成された支持リブ１３０の間に第２固定クリップ５３０締結した後、前記第２固定クリップ５３０に形成された通孔５３３に固定部材２０を通過させて前記壁体組立用パネル４０１をパネル固定用フレーム１００に固定する。
【００４９】
その後、外力（Ｆ）で前記壁体組立用パネル４０１を壁体１０の方向に押し付けて前記壁体組立用パネル４０１を壁体１０に密着させる。
【００５０】
図１３は本発明の実施例によるプレハブ建築物の壁体用パネルの壁体組立用パネルにさらに他の壁体組立用パネルを連続的に結合することを示す斜視図である。図１３を参照すれば、前記壁体組立用パネル４０１の雄締結片４３０にさらに他の壁体組立用パネル４０１’の雌締結片４５０’を４５度の角度で挿入して前記雄締結片４３０の結合具４３１を雌締結片４５０’の装着部４５２’に装着させ、雄締結片４３０の係止溝４３２に雌締結片４５０’の係止段４５３’がかみ合って結合するようにした後、前記壁体組立用パネル４０１’の固定段４１１’に第１固定クリップ５００を締結する。
【００５１】
その後、外力（Ｆ）で前記壁体組立用パネル４０１’を壁体１０の方向に押し付けて前記壁体組立用パネル４０１’を壁体１０に密着させることで仕上げる。
【００５２】
図１４は本発明の実施例によってプレハブ建築物の壁体用パネルの施工が完了したことを示す斜視図、図１５は本発明の実施例によってプレハブ建築物の壁体用パネルの施工が完了したことを示す側断面図である。図１４及び図１５を参照すれば、本発明の実施例によるプレハブ建築物の壁体用パネルの施工方法は、前述したように、壁体１０にパネル固定用フレーム１００を固定し、前記パネル固定用フレーム１００の上部にスタートパネル２００を固定し、前記スタートパネル２００に幅木用パネル３００を結合し、前記幅木用パネル３００に壁体組立用パネル４０１を結合することになり、パネルを続いて延設するために、さらに他の壁体組立用パネル４０１’を壁体組立用パネル４０１に結合することになる。
【００５３】
以上説明したパネル固定作業は垂直壁体１０にパネルを固定するための方法であるが、このような垂直壁体１０にパネルを固定する方法の外にも、水平面にパネルを固定することも可能である。
【００５４】
また、プレハブ建築物のための壁体用パネルの他の施工方法としては、壁体１０にパネル固定用フレーム１００を固定し、前記パネル固定用フレーム１００の上部にスタートパネル２００を固定し、前記スタートパネル２００に幅木用パネル３００を結合し、前記幅木用パネル３００にさらに他の幅木用パネルを結合することも可能であり、さらに他の施工方法としては、壁体１０にパネル固定用フレーム１００を固定し、前記パネル固定用フレーム１００の上部にスタートパネル２００を固定し、前記スタートパネル２００に壁体組立用パネル４０１を結合し、前記壁体組立用パネル４０１にさらに他の壁体組立用パネル４０１’を結合する方法も可能である。
【００５５】
したがって、前述したように、プレハブ建築物の壁体用パネル及びその施工方法によって、本発明は簡単な組立て及び施工によって施工現場での作業性が優秀であり、人件費が節減され、施工時間を節減することができるので、施工コストが節減される経済的な発明であり、煩雑でなくて簡潔でありながらも高級な感じを与える審美感ある発明であり、科学的な設計によって精密施工が可能であり、機能性構造によって防水効果を最大化するとともに騷音発生を最少化する効果があり、アルミニウム素材を使うことによってパネルを軽量化して加工及び運搬が容易であるだけでなく、紫外線や雨水にも強い非常に有用な発明である。
【００５６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００５７】
本発明は、簡単な組立て及び施工が可能であるだけでなく、簡潔さ及び高級な感じの審美感を高める効果があり、防水及び騷音まで考慮した機能性プレハブ建築物の製作のための壁体用パネル及びそのパネルの施工に適用可能である。
【符号の説明】
【００５８】
１０    壁体
２０    固定部材
１００    パネル固定用フレーム
１１０    支柱板
１１１    凹溝
１１２    係止リブ
１２０    側面支持突条
１２１    離脱防止係止段
１３０    支持リブ
１３１    溝部
１４０    脚リブ
１５０    パッキング部材
２００    スタートパネル
２１０    底板
２１１、３１１、４１１、４１１’    固定段
２２０    支持板
２３０、３３０、４３０    雄締結片
２３１、３３１、４３１    結合具
２３２、３３２、４３２    係止溝
３００    幅木用パネル
３１０    突起
３１２    溝
３２０    凹凸部
３４０、４４０    結合パネル部
３５０、４５０、４５０’    雌締結片
３５１、４５１、４５１’    開口部
３５２、４５２、４５２’    装着部
３５３、４５３、４５３’    係止段
３５４、４５４    結合片
３５５、４５５    結合板
３５６、４５６    締結部
３５７    形状段
４００、４０１、４０１’    壁体組立用パネル
４１０    平板体
４１２    第１脚片
４１３    第２脚片
４１４    支持片
４２０    連結片
５００    第１固定クリップ
５１０    固定棒
５２０    係合具
５３０    第２固定クリップ
５３１    羽片
５３２    締結具
５３３    通孔
５３４    固定部
Ａ    垂直線
Ｂ    延長線
Ｆ    外力
ａ    ３０°
ｂ    ６０°
ｃ    ４５°
ｄ    ０．３ｍｍ
ｅ    ０．５ｍｍ
ｈ    高さ
ｗ    幅
【図１ａ】
0005624104.tif 000002
【図１ｂ】
0005624104.tif 000003
【図２ａ】
0005624104.tif 000004
【図２ｂ】
0005624104.tif 000005
【図３ａ】
0005624104.tif 000006
【図３ｂ】
0005624104.tif 000007
【図４ａ】
0005624104.tif 000008
【図４ｂ】
0005624104.tif 000009
【図４ｃ】
0005624104.tif 000010
【図４ｄ】
0005624104.tif 000011
【図４ｅ】
0005624104.tif 000012
【図５ａ】
0005624104.tif 000013
【図５ｂ】
0005624104.tif 000014
【図６ａ】
0005624104.tif 000015
【図６ｂ】
0005624104.tif 000016
【図７】
0005624104.tif 000017
【図８】
0005624104.tif 000018
【図９】
0005624104.tif 000019
【図１０】
0005624104.tif 000020
【図１１】
0005624104.tif 000021
【図１２】
0005624104.tif 000022
【図１３】
0005624104.tif 000023
【図１４】
0005624104.tif 000024
【図１５】
0005624104.tif 000025